(57)【特許請求の範囲】
【請求項１】
容器本体（１）と、該容器本体の上部内へ嵌合された中皿（１０）と、前記容器本体の後部へ回動自在に枢着された蓋体（２０）とを備えたコンパクト容器であって、
前記容器本体の周壁（３）の後壁部分に上下両面かつ後面開口の凹部（４）を設けて、該凹部内に左右方向への軸（５、５）を設け、
前記中皿（１０）の後部に切欠部（１４）を形成して、該切欠部の左右両面から第１軸受（１５、１５）を、かつ前面下端から押上げ用板（１７）を、それぞれ垂下すると共に、前記第１軸受（１５、１５）に下面開口の軸孔（１６）を形成して、該軸孔を前記容器本体の軸（５、５）へ回動自在に嵌合させ、
前記蓋体（２０）の後部に第２軸受（２４）を垂設して、該第２軸受を前記中皿（１０）の切欠部（１４）内へ嵌合させて前記容器本体の軸（５、５）へ回動自在に連結させると共に、該第２軸受（２４）後部に押上げ用突部（２６）を設け、
該蓋体（２０）の後方への回動で、前記蓋体の押上げ用突部（２６）が前記中皿（１０）の押上げ用板（１７）へ下方から当接して、該中皿後部を押上げることにより、前記中皿（１０）の第１軸受（１５、１５）の軸孔（１６）を前記容器本体の軸（５、５）から離脱させて前記中皿（１０）を前記容器本体から取外し可能に設けたことを特徴とするコンパクト容器。
【請求項２】
前記蓋体（２０）が水平状態からさらに後方へ回動した時点で、前記蓋体の押上げ用突部（２６）が前記中皿（１０）の押上げ用板（１７）へ当接可能に設けたことを特徴とする請求項１記載のコンパクト容器。
【請求項３】
前記中皿（１０）の押上げ用板（１７）下面を前記中皿（１０）下面より下方へ位置させたことを特徴とする請求項１記載のコンパクト容器。
【発明の詳細な説明】
【技術分野】
【０００１】
本発明は、コンパクト容器に関する。
【背景技術】
【０００２】
身体内に設けたＬ形レバーを押下げ操作することで皿枠を押し上げて身体より取出し可能なコンパクト容器が従来技術として知られている。
【先行技術文献】
【特許文献】
【０００３】
【特許文献１】特開平０８−１３１２４４号公報
【発明の概要】
【発明が解決しようとする課題】
【０００４】
しかしながら、従来技術は、身体から皿枠を取り出すためには、蓋体を開蓋する動作とＬ形レバーを操作する動作との２つの動作が必要であり、したがって皿枠の取り出しが多少面倒であると共に、Ｌ形レバーという別体の部品が必要であることから部品点数が多く、しかも構成が複雑という課題がある。
【０００５】
本発明は、上記課題を解決するためになされたもので、中皿の取り出し操作が容易で、部品点数が少なく、しかも構成が簡素なコンパクト容器を提供することを目的とする。
【課題を解決するための手段】
【０００７】
上記課題を解決するために、本発明は、容器本体１と、該容器本体の上部内へ嵌合された中皿１０と、前記容器本体の後部へ回動自在に枢着された蓋体２０とを備えたコンパクト容器であって、
前記容器本体の周壁３の後壁部分に上下両面かつ後面開口の凹部４を設けて、該凹部内に左右方向への軸５、５を設け、
前記中皿１０の後部に切欠部１４を形成して、該切欠部の左右両面から第１軸受１５、１５を、かつ前面下端から押上げ用板１７を、それぞれ垂下すると共に、前記第１軸受１５、１５に下面開口の軸孔１６を形成して、該軸孔を前記容器本体の軸５、５へ回動自在に嵌合させ、
前記蓋体２０の後部に第２軸受２４を垂設して、該第２軸受を前記中皿１０の切欠部１４内へ嵌合させて前記容器本体の軸５、５へ回動自在に連結させると共に、該第２軸受２４後部に押上げ用突部２６を設け、
該蓋体２０の後方への回動で、前記蓋体の押上げ用突部２６が前記中皿１０の押上げ用板１７へ下方から当接して、該中皿後部を押上げることにより、前記中皿１０の第１軸受１５、１５の軸孔１６を前記容器本体の軸５、５から離脱させて前記中皿１０を前記容器本体から取外し可能に設けたことを特徴とする。
【０００８】
さらに、本発明は、前記蓋体２０が水平状態からさらに後方へ回動した時点で、前記蓋体の押上げ用突部２６が前記中皿１０の押上げ用板１７へ当接可能に設けたことを特徴とする。
【０００９】
さらに、本発明は、前記中皿１０の押上げ用板１７下面を前記中皿１０下面より下方へ位置させたことを特徴とする。
【発明の効果】
【００１０】
本発明は、蓋体の回動操作のみで中皿を容器本体から取外し可能であるから、中皿の取り出しが容易である。
【００１１】
また、本発明は、中皿に押上げ用板を、かつ蓋体に押上げ用突部を、それぞれ設けるだけであるから、部品点数の増加と構成の複雑化を招くことがない。
【図面の簡単な説明】
【００１２】
【図１】(ａ)  本発明に係るコンパクト容器の平面図である。        (ｂ)  (ａ)の左側半断面図である。        (ｃ)  (ａ)の右側面図である。        (ｄ)  (ａ)の断面図である。
【図２】要部断面図である。
【図３】分解斜視図である。
【図４】他の実施形態を示す後面図である。
【発明を実施するための形態】
【００１３】
以下、本発明の実施の形態について、図面を参照しながら詳細に説明する。なお、説明の便宜上、図１の左右方向を前後方向とする。
【００１４】
１は容器本体で、底壁２の周縁から周壁３を起立して、周壁３の後壁部分の中央部に後面かつ上下両面開口の第１凹部４を形成すると共に、凹部４の左右両面に左右方向への短筒からなる軸５、５を突設し、さらに軸５、５に連通する左右方向への一対の透孔６、６を形成して、これら透孔６、６へ後述するように挿通ピン７を挿通させるようにしている。また、周壁３の前壁部分の中央部に前面かつ上下両面開口の第２凹部８を形成して、第２凹部８内へ後述の蓋体２０の係合爪２７の係合を解除させるための解除部材９を設けている。
【００１５】
１０は中皿で、底板１１の周縁から周壁１２を起立して、周壁１２外面に外向きフランジ１３を形成すると共に、外向きフランジ１３の後部の中央部に切欠部１４を形成して、切欠部１４の左右両面下端から第１軸受１５、１５を構成する垂下壁を垂下すると共に、該垂下壁の下部に下面開口の軸孔１６を形成して、軸孔１６を容器本体の軸５、５へ回動自在に嵌合させ、さらに切欠部１４の前面下端から押上げ用板１７を垂下させている。
【００１６】
軸孔１６は下向きＣ字状に形成されて下面に開口部１８が形成されているが、この開口部１８の前後幅は中皿１０に上方への強制力を加えない限り容器本体の軸５、５から抜け出ることがないように軸５、５の径よりも小さくする。ただし、中皿１０に強制力を加えた場合には、軸孔１６が拡開して第１軸受１５、１５が軸５、５から比較的容易に抜け出ることが可能なように開口部１８の前後幅は下方へ向け拡開させるのが好ましい。
【００１７】
押上げ用板１７は後述の蓋体２０の押上げ用突部２６が下方から当接することにより押上げられるため、その下端が容器本体の底壁２へ過度に近接している場合には、蓋体２０の通常の開蓋角度で押上げ用板１７が押上げられることとなって不都合であるため、この点を考慮してその下端位置が決められるが、通常は中皿１０の下面と軸孔１６の中心を含む水平線との間に位置させる。
【００１８】
２０は蓋体で、天板２１の周縁から下方大径のテーパ状壁２２を介して周壁２３を垂下し、かつテーパ状壁２２の後部の左右方向中間部から第２軸受２４を垂設して、第２軸受２４に左右方向への透孔２５を形成すると共に、第２軸受２４下部後面に左右方向への断面矩形状の押上げ用突部２６を設けて、第２軸受２４を中皿１０の切欠部１４内へ嵌合させて容器本体１の軸５、５間へ配置し、かつ挿通ピン７を透孔６、６の一方から軸５、５へ挿通させることで第２軸受２４を軸５、５へ回動自在に連結させている。
【００１９】
さらにテーパ状壁２２の前部の左右方向中間部から係合爪２７を垂下して、これを中皿１０の外向きフランジ１３の前部開口２８へ挿通させて容器本体１の前面へ係合させている。
【００２０】
次に本実施形態の作用について説明する。
中皿１０には化粧料を、また容器本体１にはパフを、それぞれ収納しておき、化粧料を使用する場合には、解除部材９を操作して係合爪２７を容器本体１から離脱させて蓋体２０を後方へ回動させて開蓋すればよい。
【００２１】
パフを使用するには、中皿１０を後方へ回動させればよく、そのためには蓋体２０を通常の開蓋角度より大きく回動させればよい。通常の回動角度とは最大が水平となる程度である。蓋体２０を水平状態からさらに後方へ回動させると、押上げ用突部２６下面が押上げ用板１７の下端へ当接して中皿１０後部を上方へ押上げることで、中皿１０の第１軸受１５、１５を容器本体の軸５、５から離脱させる。かくして押上げ用板１７と押上げ用突部２６とは中皿取外し手段を構成する。
【００２２】
その際、押上げ用板１７には真上方向への力が作用することが好ましい。中皿１０の第１軸受１５、１５の軸孔１６が容器本体の軸５、５から抜け易くするためである。そのためには押上げ用突部２６の押上げ用板１７に対する当接点ができるだけ容器本体の軸５、５へ近接していることが必要である。また、このようにすることにより回転モーメントを小さくして容器本体１からの中皿１０の離脱を容易にすることができる。
【００２３】
さらに、押上げ用突部２６と押上げ用板１７とは線接触であることが好ましい。摩擦抵抗を減少させて蓋体２０の回動を容易にするためである。
【００２４】
なお、上記では蓋体２０の第２軸受２４はテーパ状壁２２の後部の左右方向中間部に設けられているが、これに限らず図４に示すように左右方向に所定の間隔をおいて一対垂下させてもよい。
【００２５】
また、上記では蓋体２０の回動に対してはなんらの制限も設けていないが、押上げ用突部２６が押上げ用板１７へ当接する直前ないし通常の開蓋角度を超えた時点で蓋体２０の回動に対して妨げとなる手段、例えば、突起からなる強制乗越え手段を設けて、強制力により一方が他方の突起を強制乗り越えしない限りそれ以上の回動が許容されないようにすることも可能である。
【産業上の利用可能性】
【００２６】
本発明は、コンパクト容器の分野に利用することができる。
【符号の説明】
【００２７】
１  容器本体
５  軸
１０  中皿
１４  切欠部
１５  第１軸受
１６  軸孔
１７  押上げ用板
２４  第２軸受
２６  押上げ用突部
【図１】
0005413896.tif 000002
【図２】
0005413896.tif 000003
【図３】
0005413896.tif 000004
【図４】
0005413896.tif 000005